(57)【要約】【課題】  従来偏心量測定を行うことができなかった装置でも光ディスクの偏心量を測定することができるようにすることで、設備のコストを抑えて効率よく光ディスクの偏心量の測定を行うことを可能にする。【解決手段】  光ピックアップ移動手段によりレーザ光の光ディスク上の照射位置を移動させたとき、再生信号生成手段の信号から得られる反射光の光量が大きく異なる領域の半径方向における境界で、偏心して移動する可能性のある２つの境界移動限界位置を検出する境界移動限界位置検出手段と、２つの境界移動限界位置から光ディスクの偏心量を計算する偏心量計算手段とを備えることを特徴とする。【選択図】図１
2007179631.tif 000002
【特許請求の範囲】
【請求項１】
光ディスクを搭載するテーブルと、該テーブルを回転する回転装置と、該テーブルに搭載した光ディスクにレーザ光を照射し該光ディスクからの反射光を受光する光ピックアップと、該反射光の光量に相当する信号を生成する再生信号生成手段と、該光ピックアップを該光ディスクの半径方向へ移動する光ピックアップ移動手段と、該光ディスクに照射したレーザ光の照射半径位置を検出するレーザ光照射位置検出手段とを備える光ディスクの偏心量測定装置において、
該光ピックアップ移動手段により該レーザ光の光ディスク上の照射位置を移動させたとき、該再生信号生成手段の信号から得られる反射光の光量が大きく異なる領域の半径方向における境界で、偏心して移動する可能性のある２つの境界移動限界位置を検出する境界移動限界位置検出手段と、
該２つの境界移動限界位置から該光ディスクの偏心量を計算する偏心量計算手段と、
を備えることを特徴とする光ディスクの偏心量測定装置。
【請求項２】
前記境界移動限界位置検出手段が、
前記光ピックアップ移動手段により前記光ディスク上のレーザ光の照射位置を１方向に移動させたとき、
前記再生信号生成手段から得られる信号で、該光ディスクからの反射光の光量が大きく異なるどちらかの領域に基づく信号のいずれかがなくなる位置を前記境界移動限界位置として検出することを特徴とする請求項１記載の光ディスクの偏心量測定装置。
【請求項３】
前記境界移動限界位置検出手段が、
前記光ピックアップ移動手段により前記光ディスク上のレーザ光の照射位置を１方向に移動させたとき、
前記再生信号生成手段から得られる信号で、該光ディスクからの反射光の光量が大きく異なるどちらかの領域に基づく信号の信号長と、該レーザ光の照射半径位置との関係から前記境界移動限界位置を算出することを特徴とする請求項１記載の光ディスクの偏心量測定装置。
【請求項４】
光ディスクを搭載するテーブルと、該テーブルを回転する回転装置と、該テーブルに搭載した光ディスクにレーザ光を照射し該光ディスクからの反射光を受光する光ピックアップと、該反射光の光量に相当する信号を生成する再生信号生成手段と、該光ピックアップを該光ディスクの半径方向へ移動する光ピックアップ移動手段と、該光ディスクに照射したレーザ光の照射半径位置を検出するレーザ光照射位置検出手段とを備える光ディスクの偏心量測定装置における偏心量測定方法において、
該光ピックアップ移動手段により該レーザ光の光ディスク上の照射位置を移動させたとき、該再生信号生成手段の信号から得られる反射光の光量が大きく異なる領域の半径方向における境界で、偏心して移動する可能性のある２つの境界移動限界位置を検出し、
該２つの境界移動限界位置から該光ディスクの偏心量を計算することを特徴とする光ディスクの偏心量測定装置における偏心量測定方法。
【請求項５】
前記光ピックアップ移動手段により前記光ディスク上のレーザ光の照射位置を１方向に移動させ、
前記再生信号生成手段から得られる信号で、該光ディスクからの反射光の光量が大きく異なるどちらかの領域に基づく信号のいずれかがなくなる位置を前記境界移動限界位置として検出することを特徴とする請求項４記載の光ディスクの偏心量測定装置における偏心量測定方法。
【請求項６】
前記光ピックアップ移動手段により前記光ディスク上のレーザ光の照射位置を１方向に移動させ、
前記再生信号生成手段から得られる信号で、該光ディスクからの反射光の光量が大きく異なるどちらかの領域に基づく信号の信号長と、該レーザ光の照射半径位置との関係から前記境界移動限界位置を算出することを特徴とする請求項４記載の光ディスクの偏心量測定装置における偏心量測定方法。
【発明の詳細な説明】
【技術分野】
【０００１】
本発明は、光ディスクの偏心量を測定する光ディスクの偏心量測定装置及び偏心量測定方法に関する。
【背景技術】
【０００２】
従来より、光ディスクの偏心量は規格で上限が決められており、光ディスクの製造工程における光ディスクの偏心量測定の結果この規格を満たさない光ディスクは廃棄されている。従来の光ディスクの偏心量測定は、例えば特許文献１に示されているように、光ピックアップ装置から光ディスク上に照射されたレーザ光をトラッキングサーボをかけないでトラックを横切らせ、その際の再生信号の波の数をカウントして偏心量を計算する方法がある。
【０００３】
また、例えば特許文献２に示されているように、光ピックアップ装置から光ディスク上に照射されたレーザ光をトラッキングサーボ制御によりトラックを追従させ、対物レンズの半径方向の変位量を検出して偏心量を計算する方法などがある。
【特許文献１】特開平１０−１４３８９４号公報
【特許文献２】特開昭６３−７１６０８号公報
【発明の開示】
【発明が解決しようとする課題】
【０００４】
しかしながら、従来の偏心量測定は、ＢＣＡ記録装置のように光ディスク上に照射されるレーザ光により形成される光スポットが複数のトラックをまたぐ場合や、トラッキングサーボの機能を持っていない装置では行うことができず、別の装置で光ディスクの偏心量測定を行う必要があり、設備のコストが高くつくという問題や、工程が増えることで生産効率が落ちるという問題がある。
【０００５】
本発明は、このような事情に鑑みてなされたもので、設備のコストを抑えて効率よく光ディスクの偏心量の測定が行えるよう、従来偏心量測定を行うことができなかった装置でも光ディスクの偏心量を測定することが可能な光ディスクの偏心量測定装置及び偏心量測定方法を提供することにある。
【課題を解決するための手段】
【０００６】
請求項１記載の光ディスクの偏心量測定装置は、光ピックアップ移動手段によりレーザ光の光ディスク上の照射位置を移動させたとき、再生信号生成手段の信号から得られる反射光の光量が大きく異なる領域の半径方向における境界で、偏心して移動する可能性のある２つの境界移動限界位置を検出する境界移動限界位置検出手段と、２つの境界移動限界位置から光ディスクの偏心量を計算する偏心量計算手段とを備えることを特徴とする。
【０００７】
請求項２記載の光ディスクの偏心量測定装置は、境界移動限界位置検出手段が、光ピックアップ移動手段により光ディスク上のレーザ光の照射位置を１方向に移動させたとき、再生信号生成手段から得られる信号で、光ディスクからの反射光の光量が大きく異なるどちらかの領域に基づく信号のいずれかがなくなる位置を境界移動限界位置として検出することを特徴とする。
【０００８】
請求項３記載の光ディスクの偏心量測定装置は、境界移動限界位置検出手段が、光ピックアップ移動手段により光ディスク上のレーザ光の照射位置を１方向に移動させたとき、再生信号生成手段から得られる信号で、光ディスクからの反射光の光量が大きく異なるどちらかの領域に基づく信号の信号長と、レーザ光の照射半径位置との関係から境界移動限界位置を算出することを特徴とする。
【０００９】
請求項４記載の光ディスクの偏心量測定装置における偏心量測定方法は、光ピックアップ移動手段によりレーザ光の光ディスク上の照射位置を移動させたとき、再生信号生成手段の信号から得られる反射光の光量が大きく異なる領域の半径方向における境界で、偏心して移動する可能性のある２つの境界移動限界位置を検出し、２つの境界移動限界位置から光ディスクの偏心量を計算することを特徴とする。
【００１０】
請求項５記載の光ディスクの偏心量測定装置における偏心量測定方法は、光ピックアップ移動手段により光ディスク上のレーザ光の照射位置を１方向に移動させ、再生信号生成手段から得られる信号で、光ディスクからの反射光の光量が大きく異なるどちらかの領域に基づく信号のいずれかがなくなる位置を境界移動限界位置として検出することを特徴とする。
【００１１】
請求項６記載の光ディスクの偏心量測定装置における偏心量測定方法は、光ピックアップ移動手段により光ディスク上のレーザ光の照射位置を１方向に移動させ、再生信号生成手段から得られる信号で、光ディスクからの反射光の光量が大きく異なるどちらかの領域に基づく信号の信号長と、レーザ光の照射半径位置との関係から境界移動限界位置を算出することを特徴とする。
【発明の効果】
【００１２】
請求項１及び請求項４の発明によれば、再生信号生成手段の信号から、偏心して移動する可能性のある２つの境界移動限界位置を検出し光ディスクの偏心量を計算することから、従来偏心量測定を行うことができなかった装置でも光ディスクの偏心量を測定することができ、設備のコストを抑えて効率よく光ディスクの偏心量を測定することが可能である。
【００１３】
請求項２及び請求項５の発明によれば、光ディスクからの反射光の光量が大きく異なるどちらかの領域に基づく信号のいずれかがなくなる位置を境界移動限界位置として検出することから、より正確に境界移動限界位置の検出ができ、正確な光ディスクの偏心量の測定が可能である。
【００１４】
請求項３及び請求項６の発明によれば、光ディスクからの反射光の光量が大きく異なるどちらかの領域に基づく信号の信号長と、レーザ光の照射半径位置との関係から境界移動限界位置を算出することから、より正確に境界移動限界位置の検出ができ、正確な光ディスクの偏心量の測定が可能である。
【発明を実施するための最良の形態】
【００１５】
以下、本発明の形態について図面を参照しながら具体的に説明する。図１は、本発明に係る光ディスクの偏心量測定装置の一例を示す構成図である。本実施例のＢＣＡ記録装置１００は、光ディスクＤＫにＢＣＡ（burst cutting area：バーコードゾーン）を記録し、記録されたＢＣＡを再生する装置であり、後述する光ディスクＤＫの偏心量測定が可能な光ディスクの偏心量測定装置である。このＢＣＡ記録装置１００は、光ピックアップＰＵＨ、ＨＦ信号増幅回路１０２、フォーカスエラー信号生成回路１０４、フォーカスサーボ回路１０６、ドライブ回路１０８、再生信号生成回路２０２、２値化回路２０４、ハイレベル信号パルス長測定回路２０６、ローレベル信号パルス長測定回路２０８、回転駆動装置３００、フィードモータ駆動回路３０２、半径位置検出回路３０４、フィードモータ位置制御回路３０６、移動指令回路３０８、回転速度制御回路４０２、レーザ駆動回路４０４、コントローラ５００、入力装置５０２、表示装置５０４等から構成されている。
【００１６】
光ピックアップＰＵＨはレーザ光源を備え、このレーザ光源から照射されるレーザ光が光ディスクＤＫ上では複数のトラックをまたぐ直径の光スポットを形成する。尚、図１に示す光ピックアップＰＵＨには、記録されたＢＣＡを再生するための光源、光学系、光検出器（以下ＰＤという）のみが示されており、ＢＣＡを記録するための光源、光学系、ＰＤは本発明に直接関係しないため図示していない。回転駆動装置３００は、光ディスクＤＫを搭載するテーブルと、テーブルを回転する回転装置等から構成されている。
【００１７】
光ディスクＤＫが回転駆動装置３００に装着された状態で、レーザ光が光ディスクＤＫにレーザ光源から照射され、光ディスクＤＫからの反射光を受光したＰＤは光量に基づく信号を出力し、この信号はＨＦ信号増幅回路１０２で増幅され、フォーカスエラー信号生成回路１０４、フォーカスサーボ回路１０６、ドライブ回路１０８の回路でフォーカスサーボ制御が行われる。尚、本装置にはトラッキングサーボ制御のための回路はない。
【００１８】
ＨＦ信号増幅回路１０２で増幅された信号は、再生信号生成回路２０２で分割されたＰＤの各信号が統合され、２値化回路２０４でハイレベルとローレベルのみのパルス信号になる。そして、このパルス信号のハイレベル信号の信号長とローレベル信号の信号長が、ハイレベル信号パルス長測定回路２０６とローレベル信号パルス長測定回路２０８の回路で測定され、コントローラ５００に出力される。コントローラ５００は、ＢＣＡ記録装置１００の全体の制御を行うもので、データを入力するための入力装置５０２及び、データや各種設定を表示する表示装置５０４が接続されている。
【００１９】
フィードモータ位置制御回路３０６は、コントローラ５００から半径位置を指示されると、半径位置検出回路３０４が出力する半径位置が指示された半径位置になるよう、フィードモータ駆動回路３０２に駆動方向を含む駆動指令の信号を出力する。フィードモータ駆動回路３０２は、フィードモータ位置制御回路３０６からの駆動方向を含む駆動指令、移動指令回路３０８からの駆動方向、駆動速度を含む駆動指令の信号によりフィードモータ３０１を駆動する。尚、移動指令回路３０８は、本装置の電源投入の段階ではコントローラ５００からの指令により、フィードモータ駆動回路３０２に初期位置へ駆動させるための信号を出力し、コントローラ５００からの停止指令で出力を停止する。
【００２０】
半径位置検出回路３０４は、フィードモータ３０１内にあるエンコーダが出力するパルス信号から半径位置を算出して半径位置に相当する信号をフィードモータ位置制御回路３０６およびコントローラ５００に出力する。また、半径位置検出回路３０４は、本装置の電源投入の段階では、コントローラ５００からの指令を受けた後、エンコーダからのパルス信号の入力がストップすると、その位置を初期位置と認識し、コントローラ５００に初期位置の半径に相当する信号を出力するとともに、以後、その初期位置の半径にエンコーダが出力するパルス信号のカウントから計算した移動量を加減することで半径位置を算出して出力する。初期位置の半径は既知でありあらかじめ回路に入力されている。
【実施例１】
【００２１】
図２は、光ディスクの偏心量測定装置の動作を示す説明図である。図３は、光ディスクの偏心量測定装置の信号を示す説明図である。図４及び図５は、光ディスクの偏心量測定装置の実施例１の動作を示すフローチャートである。尚、以後の説明において、括弧内の符号は図４及び図５のフローチャートの符号に対応している。
【００２２】
図１に示すように構成されたＢＣＡ記録装置１００において、作業者は入力装置５０２から光ディスクＤＫにおいて反射光量が大きく異なる領域の境界（ＢＣＡを入れる領域とデータ記録を行う領域の境界）の半径位置を入力（以前入力されて記憶されていれば必要なし）する。そして、ＢＣＡ記録装置１００の駆動（光ディスクＤＫの回転、レーザ光の照射、フォーカスサーボ制御）を開始させた後、入力装置５０２から指示して図４及び図５に示すフローのプログラムを開始させる。
【００２３】
プログラムではまず、ハイレベル信号パルス長測定回路２０６やローレベル信号パルス長測定回路２０８等の必要な回路を駆動させ（Ｓ１０２、Ｓ１０４）、レーザ光の照射位置の反射光量が大きく異なる領域の境界位置付近になるようにする（Ｓ１０６）。尚、このとき光ディスクＤＫ上の光スポットが図２（ａ）の位置にあれば、２値化回路２０４が出力する信号は図３（ａ）である（図２では、反射率の高い領域に斜線を施している）。
【００２４】
レーザ光の照射位置が、反射光量の大きく異なる領域の境界の移動限界付近または移動限界の外側にある場合は、以降で説明する境界移動限界位置の検出が可能な位置までレーザ光の照射位置を大まかに移動させる（Ｓ１０８〜Ｓ１１８）。
【００２５】
次に、レーザ光の照射位置を低反射率領域の方向（データ記録領域の方向）へ移動させる（Ｓ１２０〜Ｓ１２６）。このときの移動位置は、ハイレベル信号の信号長が、ハイレベル信号とローレベル信号が等しいときの信号長（境界の移動範囲の丁度中間のときの信号長）の１０分の１になる位置である。このとき光ディスクＤＫ上に形成された光スポットは図２（ｂ）であり、２値化回路２０４が出力する信号は図３（ｂ）である。そして、このときの半径位置Ｒ１（Ｓ１２８）を取り込む。
【００２６】
さらに、レーザ光の照射位置を、１０分の１になったときの信号長の１０分の１になるまで移動させる（Ｓ１３０〜Ｓ１３６）。このとき光ディスクＤＫ上に形成された光スポットは図２（ｃ）であり、２値化回路２０４が出力する信号は図３（ｃ）である。そして、このときの半径位置Ｒ２を取り込む（Ｓ１３８）。
【００２７】
次に、（半径位置Ｒ２−半径位置Ｒ１）の１０分の１ずつレーザ光の照射位置を移動させ（Ｓ１４０〜Ｓ１４８）、ハイレベル信号が検出されなくなったところを境界移動限界位置Ｒｒｉｇｈｔとし、半径位置を記憶する（Ｓ１５０）。
【００２８】
次に、反対側の境界移動限界位置について処理を行う。具体的には、レーザ光の照射位置を高反射率領域の方向（ＢＣＡを入れる領域の方向）へ移動させる（Ｓ１５２〜Ｓ１５８）。このときの移動位置は、ローレベル信号の信号長が、ハイレベル信号とローレベル信号が等しいときの信号長（境界の移動範囲の丁度中間のときの信号長）の１０分の１になる位置である。このとき光ディスクＤＫ上に形成された光スポットは図２（ｄ）であり、２値化回路２０４が出力する信号は図３（ｄ）である。そして、このときの半径位置Ｒ３（Ｓ１６０）を取り込む。
【００２９】
さらに、レーザ光の照射位置を、１０分の１になったときの信号長の１０分の１になるまで移動させる（Ｓ１６２〜Ｓ１６８）。このとき光ディスクＤＫ上に形成された光スポットは図２（ｅ）であり、２値化回路２０４が出力する信号は図３（ｅ）である。そして、このときの半径位置Ｒ４を取り込む（Ｓ１７０）。
【００３０】
次に、（半径位置Ｒ４−半径位置Ｒ３）の１０分の１ずつレーザ光の照射位置を移動させ（Ｓ１７２〜Ｓ１８０）、ローレベル信号が検出されなくなったところを境界移動限界位置Ｒｌｅｆｔとし、半径位置を記憶する（Ｓ１８２）。
【００３１】
そして、境界移動限界位置Ｒｒｉｇｈｔと境界移動限界位置Ｒｌｅｆｔとの２つの半径位置から偏心量を計算して表示し（Ｓ１８４）、不要な回路を停止させる（Ｓ１８６、Ｓ１８８）。この偏心量測定の結果、偏心量が規格内であれば、続けてＢＣＡ記録を行う。
【００３２】
以上のように、本実施例のＢＣＡ記録装置１００によれば、ＨＦ信号増幅回路１０２、再生信号生成回路２０２、２値化回路２０４等からなる再生信号生成手段の信号から、偏心して移動する可能性のある２つの境界移動限界位置を検出し光ディスクＤＫの偏心量を計算することから、従来偏心量測定を行うことができなかった装置でも光ディスクＤＫの偏心量を測定することができ、設備のコストを抑えて効率よく光ディスクの偏心量を測定することが可能である。
【００３３】
また、光ディスクＤＫからの反射光の光量が大きく異なるどちらかの領域に基づくローレベル信号やハイレベル信号のいずれかがなくなる位置を境界移動限界位置として検出することから、より正確に境界移動限界位置の検出ができ、正確な光ディスクＤＫの偏心量の測定が可能である。
【実施例２】
【００３４】
図６は、光ディスクの偏心量測定装置の実施例２におけるレーザ光照射位置とローレベル信号又はハイレベル信号の信号長との関係を示すグラフである。図７及び図８は、光ディスクの偏心量測定装置の実施例２の動作を示すフローチャートである。尚、以後の説明において、括弧内の符号は図７及び図８のフローチャートの符号に対応している。
【００３５】
図１に示すように構成されたＢＣＡ記録装置１００において、作業者は入力装置５０２から光ディスクＤＫにおいて反射光量が大きく異なる領域の境界（ＢＣＡを入れる領域とデータ記録を行う領域の境界）の半径位置を入力（以前入力されて記憶されていれば必要なし）する。そして、ＢＣＡ記録装置１００の駆動（光ディスクＤＫの回転、レーザ光の照射、フォーカスサーボ制御）を開始させた後、入力装置５０２から指示して図７及び図８に示すフローのプログラムを開始させる。
【００３６】
プログラムではまず、実施例１と同様に、ハイレベル信号パルス長測定回路２０６やローレベル信号パルス長測定回路２０８等の必要な回路を駆動させ（Ｓ２０２、Ｓ２０４）、レーザ光の照射位置の反射光量が大きく異なる領域の境界位置付近になるようにする（Ｓ２０６）。尚、このとき光ディスクＤＫ上の光スポットが図２（ａ）の位置にあれば、２値化回路２０４が出力する信号は図３（ａ）である（図２では、反射率の高い領域に斜線を施している）。
【００３７】
レーザ光の照射位置が、反射光量の大きく異なる領域の境界の移動限界付近または移動限界の外側にある場合は、以降で説明する境界移動限界位置の検出が可能な位置までレーザ光の照射位置を大まかに移動させる（Ｓ２０８〜Ｓ２１８）。
【００３８】
次に、レーザ光の照射位置を低反射率領域の方向（データ記録領域の方向）へ移動させる（Ｓ２２０〜Ｓ２２６）。このときの移動位置は、ハイレベル信号の信号長が、ハイレベル信号とローレベル信号が等しいときの信号長（境界の移動範囲の丁度中間のときの信号長）の１０分の１になる位置である。このとき光ディスクＤＫ上に形成された光スポットは図２（ｂ）であり、２値化回路２０４が出力する信号は図３（ｂ）である。そして、このときの半径位置Ｒ１（Ｓ２２８）を取り込む。
【００３９】
さらに、レーザ光の照射位置を、１０分の１になったときの信号長の１０分の１になるまで移動させる（Ｓ２３０〜Ｓ２３６）。このとき光ディスクＤＫ上に形成された光スポットは図２（ｃ）であり、２値化回路２０４が出力する信号は図３（ｃ）である。そして、このときの半径位置Ｒ２を取り込む（Ｓ２３７）。次に、（半径位置Ｒ２−半径位置Ｒ１）の１０分の１ずつレーザ光の照射位置を移動させ、ハイレベル信号の信号長を半径位置が変わるごとに記憶し（Ｓ２３８〜Ｓ２４４）、ハイレベル信号がなくなったとき（Ｓ２４６）、ハイレベル信号の信号長が０のデータを除いた他のデータから境界移動限界位置Ｒｒｉｇｈｔを計算し、半径位置を記憶する（Ｓ２５０）。
【００４０】
具体的には、図６に示すように、半径位置とハイレベル信号の信号長の関係はサインカーブになっているので、記憶したデータ（図６の丸の点）から最小二乗法によりサインカーブを計算し、サインカーブの傾きが０になる点（微分カーブが０になる点）を計算することで境界移動限界位置を求める。
【００４１】
次に、反対側の境界移動限界位置について処理を行う。具体的には、レーザ光の照射位置を高反射率領域の方向（データ記録領域の方向）へ移動させる（Ｓ２５２〜Ｓ２５８）。このときの移動位置は、ローレベル信号の信号長が、ハイレベル信号とローレベル信号が等しいときの信号長（境界の移動範囲の丁度中間のときの信号長）の１０分の１になる位置である。このとき光ディスクＤＫ上に形成された光スポットは図２（ｄ）であり、２値化回路２０４が出力する信号は図３（ｄ）である。そして、このときの半径位置Ｒ３（Ｓ２６０）を取り込む。
【００４２】
さらに、レーザ光の照射位置を、１０分の１になったときの信号長の１０分の１になるまで移動させる（Ｓ２６２〜Ｓ２６８）。このとき光ディスクＤＫ上に形成された光スポットは図２（ｅ）であり、２値化回路２０４が出力する信号は図３（ｅ）である。そして、そして、このときの半径位置Ｒ４を取り込む（Ｓ２６９）。次に、（半径位置Ｒ４−半径位置Ｒ３）の１０分の１ずつレーザ光の照射位置を移動させ、ローレベル信号の信号長を半径位置が変わるごとに記憶し（Ｓ２７０〜Ｓ２７６）、ローレベル信号がなくなったとき（Ｓ２７８）、ローレベル信号の信号長が０のデータを除いた他のデータから境界移動限界位置Ｒｌｅｆｔを計算し、半径位置を記憶する（Ｓ２８２）。
【００４３】
具体的には、図６と同様に、半径位置とローレベル信号の信号長の関係はサインカーブになっているので、記憶したデータから最小二乗法によりサインカーブを計算し、サインカーブの傾きが０になる点（微分カーブが０になる点）を計算することで境界移動限界位置を求める。
【００４４】
そして、境界移動限界位置Ｒｒｉｇｈｔと境界移動限界位置Ｒｌｅｆｔとの２つの半径位置から偏心量を計算して表示し（Ｓ２８４）、不要な回路を停止させる（Ｓ２８６、Ｓ２８８）。この偏心量測定の結果、偏心量が規格内であれば、続けてＢＣＡ記録を行う。
【００４５】
以上のように、本実施例によれば、光ディスクＤＫからの反射光の光量が大きく異なるどちらかの領域に基づく信号の信号長と、レーザ光の照射半径位置との関係から境界移動限界位置を算出することから、より正確に境界移動限界位置の検出ができ、正確な光ディスクＤＫの偏心量の測定が可能である。
【００４６】
尚、実施例１及び実施例２においては、コントローラ５００の制御によりプログラムで境界移動限界位置を検出しているが、このような構成に限られるものではなく、簡易的な方法として例えば作業者が２値化回路２０４の波形を見ながらフィードモータ３０１を動かして境界移動限界位置を検出するという方法もある。
【産業上の利用可能性】
【００４７】
以上のように、本発明によれば、従来偏心量測定を行うことができなかった装置でも光ディスクの偏心量を測定することができるようになり、設備のコストを抑えて効率よく光ディスクの偏心量を測定することが可能になる。
【図面の簡単な説明】
【００４８】
【図１】本発明に係る光ディスクの偏心量測定装置の一例を示す構成図である。
【図２】同光ディスクの偏心量測定装置の動作を示す説明図である。
【図３】同光ディスクの偏心量測定装置の信号を示す説明図である。
【図４】同光ディスクの偏心量測定装置の実施例１の動作を示すフローチャートである。
【図５】同光ディスクの偏心量測定装置の実施例１の動作を示すフローチャートである。
【図６】同光ディスクの偏心量測定装置の実施例２におけるレーザ光照射位置とローレベル信号又はハイレベル信号の信号長との関係を示すグラフである。
【図７】同光ディスクの偏心量測定装置の実施例２の動作を示すフローチャートである。
【図８】同光ディスクの偏心量測定装置の実施例２の動作を示すフローチャートである。
【符号の説明】
【００４９】
１００・・・ＢＣＡ記録装置
１０２・・・ＨＦ信号増幅回路
１０４・・・フォーカスエラー信号生成回路
１０６・・・フォーカスサーボ回路
１０８・・・ドライブ回路
２０２・・・再生信号生成回路
２０４・・・２値化回路
２０６・・・ハイレベル信号パルス長測定回路
２０８・・・ローレベル信号パルス長測定回路
３００・・・回転駆動装置
３０１・・・フィードモータ
３０２・・・フィードモータ駆動回路
３０４・・・半径位置検出回路
３０６・・・フィードモータ位置制御回路
３０８・・・移動指令回路
４０２・・・回転速度制御回路
４０４・・・レーザ駆動回路
５００・・・コントローラ
５０２・・・入力装置
５０４・・・表示装置
【図１】
2007179631.tif 000003
【図２】
2007179631.tif 000004
【図３】
2007179631.tif 000005
【図４】
2007179631.tif 000006
【図５】
2007179631.tif 000007
【図６】
2007179631.tif 000008
【図７】
2007179631.tif 000009
【図８】
2007179631.tif 000010